(57)【要約】【課題】  装置本体から定着ユニットにヒータ用駆動電源を供給する構成において、当該定着ユニットの脱着時の高い安全性を確保できるようにする。【解決手段】  定着ユニット５は、定着ヒータＨ１、Ｈ２と、この昇温温度を検出する温度検出部１９、２１とを有し、当該装置Ｂ本体に着脱可能に配置される。定着ユニット５は、装置Ｂ本体から定着ヒータＨ１、Ｈ２用の駆動電源を入力するとともに昇温検出信号を装置Ｂ本体に出力するコネクタ１７を有する。第１のスイッチ部ＳＷ１は、装置Ｂ本体内において定着ユニット５への電源ラインＬ１に挿入され、定着ヒータＨ１、Ｈ２の周辺温度が基準温度を超えるとき電源ラインＬ１を切断する。第２のスイッチ部ＳＷ２は、電源ラインＬ１に直列挿入され、装置Ｂ本体から定着ユニット５のコネクタ１７側を経由して交流電源ラインＬ１を断続する。【選択図】  図１
2011209486.tif 000002
【特許請求の範囲】
【請求項１】
定着ヒータと、この定着ヒータによる昇温温度を検出する温度検出部とを有して当該装置本体に着脱可能に配置される定着ユニットであって、前記装置本体から前記定着ヒータを加熱駆動する駆動電源を入力し、前記温度検出部による検出信号を前記装置本体に出力するとともに前記装置本体に対して脱着可能なコネクタを有する定着ユニットと、
前記装置本体内において前記定着ヒータに供給する前記駆動電源の電源ラインに直列的に挿入され、前記定着ヒータの周辺温度が基準温度を超えるとき前記電源ラインを切断するよう動作する第１のスイッチ部と、
前記装置本体内において前記電源ラインに前記第１のスイッチ部と直列的に挿入され前記電源ラインを断続する第２のスイッチ部と、
を具備し、
前記第２のスイッチ部は、前記装置本体から前記定着ユニットの前記コネクタ側を経由して断続制御されるとともに、前記定着ユニットの前記コネクタが前記装置本体から外れたとき前記電源ラインを切断することを特徴とする電源制御装置。
【請求項２】
前記第２のスイッチ部は前記定着ユニットの前記コネクタに接続された短絡回路を経由して断続制御される請求項１記載の電源制御装置。
【請求項３】
前記装置本体に配置された開閉扉の開閉動作に連動して当該開閉状態を検出する第３のスイッチ部を有し、前記第１のスイッチ部は前記第３スイッチ部による前記開状態の検出に基づき前記電源ラインを切断する請求項１又は２記載の電源制御装置。
【請求項４】
前記第１のスイッチ部は電磁リレーである請求項３記載の電源制御装置。
【請求項５】
前記請求項１〜４いずれか１項記載の電源制御装置と、この電源制御装置からの電源によって動作するとともに画像データに基づき画像形成する画像形成部と、を有することを特徴とする画像形成装置。
【発明の詳細な説明】
【技術分野】
【０００１】
本発明は電源制御装置および画像形成装置に係り、例えば電子写真方式の複写機、ファクシミリ機、プリンタ又はこれらの機能を搭載した複合機（ＭＦＰ：Multi Function Peripheral）等の画像形成装置に搭載して好適する電源制御装置および当該画像形成装置の改良に関する。
【背景技術】
【０００２】
この種の画像形成装置にあっては、原稿上の画像情報から画像データを光学的に読み取り、その画像データに基づきトナー像を形成して用紙に転写定着させ、トナー像の転写された用紙を加熱定着部を通過させる過程で、そのトナー像を用紙に加熱定着させて印刷（印字）する印刷機能、その他の処理機能を有している。
【０００３】
そして、加熱定着部は、交流電源で加熱される定着ヒータを内蔵した定着ローラとこれに圧接された加圧ローラとを有し、画像形成装置本体に対して脱着可能にユニット化される場合が多いうえ、定着ヒータが過度に加熱されないように安全対策が求められる。
【０００４】
従来、この種の安全対策としては、加熱定着部に接近させてサーミスタ等の温度検出部を配置し、加熱定着部の周辺温度が基準温度を超えるとき、加熱ヒータに交流電源を供給する交流電源ラインに直列挿入された例えばトライアック（商標）等の半導体スイッチをオフ制御する構成が知られている。
【０００５】
ところが、トライアックは故障時に短絡する場合が多く、加熱定着部の周辺温度が基準温度を超えても、定着ヒータが加熱し続けて過度に温度が上昇する心配がある。
【０００６】
そのため、交流電源ラインに電磁型のパワーリレーを半導体スイッチに対して直列的に挿入し、上述した温度検出部が所定温度を超える高温を検出したとき、電磁リレーをオフ制御する構成も提供されている。
【０００７】
さらに、定着ユニットの取り出しその他の操作用にカバー開閉扉を装置本体に設け、そのカバー開閉扉を開操作したとき、カバー開閉扉に連動するインターロックスイッチをオフ動作させてトライアックをオフ動作させる構成も考えられている。
【０００８】
それらトライアックおよびパワーリレーを用いて安全性を確保する構成としては、例えば特開２００２−２４７７５２号公報（特許文献１）のような給電装置が提案されている。
【０００９】
この特許文献１は、ヒータに接続され給電制御信号に応答してヒータへの給電を制御するスイッチング素子と、閉指示電圧に応答して給電ラインを通電とし閉指示電圧が消えると遮断するリレーと、このリレーへの閉指示電圧を遮断するインターロックスイッチと、このインターロックスイッチが閉指示電圧を遮断するときの閉指示電圧の消滅に応答するリレーの給電ライン遮断よりも早く、閉指示電圧の消滅への変化に応答して給電制御信号を止めてスイッチング素子をオフにさせるツェナーダイオードと、リレーがオフするのを遅延するコンデンサとを備え、リレーやこれ相応の開閉回路などのスイッチ手段がドアスイッチなどのインターロックスイッチによって開かれる場合でも、スイッチ手段の劣化又は故障を低減するものである。
【先行技術文献】
【特許文献】
【００１０】
【特許文献１】特開２００２−２４７７５２号公報
【発明の開示】
【発明が解決しようとする課題】
【００１１】
しかしながら、上述した従来構成では、定着ユニットを交換する目的で、ユーザがカバー開閉扉を開けると、これに連動するインターロックスイッチを介してトライアックをオフ動作させ、定着ヒータへの交流電源供給を遮断しているが、トライアックが故障した場合、上述したように短絡動作して交流電源供給が継続される場合が想定され、ユーザが定着ユニットを交換する場合の安全性に問題がある。
【００１２】
また、上述した特許文献１では、カバー開閉扉を開けた時点で、リレーの駆動用電源がオフされてヒータに電源が給電されなくなるが、カバー開閉扉の開動作によってインターロックスイッチを介してパワーリレーをオフ制御するには部品の追加が必要となる。
【００１３】
しかも、特許文献１では、インターロックスイッチがオフした場合、パワーリレーが遮断する前にインターロックスイッチのオフを検知してトライアックをオフするが、インターロックスイッチには接続される部品数によって電源の立ち上がりや立ち下がりにばらつきが発生し易く、トライアックのオフ動作タイミングが一定せず、安全性を確保する観点から改善の余地がある。
【００１４】
本発明はそのような課題を解決するためになされたもので、装置本体から定着ヒータに駆動電源を供給して加熱する構成において、当該定着ユニットの脱着時の高い安全性確保が容易な電源制御装置およびこれを搭載した画像形成装置の提供を目的とする。
【課題を解決するための手段】
【００１５】
そのような課題を解決するために本発明の請求項１に係る電源制御装置は、定着ヒータと、この定着ヒータによる昇温温度を検出する温度検出部とを有して当該装置本体に着脱可能に配置される定着ユニットであって、その装置本体から定着ヒータを加熱駆動する駆動電源を入力し、その温度検出部による検出信号を装置本体に出力するとともに装置本体に対して脱着可能なコネクタを有する定着ユニットと、その装置本体内において定着ヒータに供給する駆動電源の電源ラインに直列的に挿入され、その定着ヒータの周辺温度が基準温度を超えるとき電源ラインを切断するよう動作する第１のスイッチ部と、その装置本体内において電源ラインに第１のスイッチ部と直列的に挿入され電源ラインを断続する第２のスイッチ部とを具備し、その第２のスイッチ部は、装置本体から定着ユニットのコネクタ側を経由して断続制御されるとともに、その定着ユニットのコネクタが装置本体から外れたとき電源ラインを切断する構成である。
【００１６】
本発明の請求項２に係る電源制御装置は、上記第２のスイッチ部が定着ユニットのコネクタに接続された短絡回路を経由して断続制御される構成である。
【００１７】
本発明の請求項３に係る電源制御装置は、上記装置本体に配置された開閉扉の開閉動作に連動して当該開閉状態を検出する第３のスイッチ部を有し、上記第１のスイッチ部が第３スイッチ部による開状態の検出に基づきその電源ラインを切断する構成である。
【００１８】
本発明の請求項４に係る電源制御装置は、上記第１のスイッチ部が電磁リレーからなる構成である。
【００１９】
本発明の請求項５に係る画像形成装置は、それら請求項１〜４いずれか１項記載の電源制御装置と、この電源制御装置からの電源によって動作するとともに画像データに基づき画像形成する画像形成部とを有している。
【発明の効果】
【００２０】
このような本発明の請求項１に係る電源制御装置では、装置本体内において電源ラインに第１のスイッチ部と直列的挿入された第２のスイッチ部が、装置本体から定着ユニットのコネクタ側を経由して断続制御されるとともに、その定着ユニットのコネクタが装置本体から外れたとき電源ラインを切断するから、定着ヒータに駆動電源を供給する電源ラインが当該定着ユニットの取り外し時に装置本体内にて切断され、定着ユニット取外時の高い安全性確保が可能である。
【００２１】
本発明の請求項２に係る電源制御装置では、上記第２のスイッチ部が定着ユニットのコネクタに接続された短絡回路を経由して断続制御されるから、ごく簡単な回路構成の変更によって上述した効果が得られる。
【００２２】
本発明の請求項３に係る電源制御装置では、上記装置本体に配置された第３のスイッチ部による当該開状態検出に基づき、上記第１のスイッチ部が電源ラインを切断するから、予め、第１のスイッチ部で電源ラインを切断してから第２のスイッチ部が切断され、より一層、定着ユニット取外時の高い安全性の確保が可能である。
【００２３】
本発明の請求項４に係る電源制御装置では、上記第２のスイッチ部が電磁リレーからなる構成において、第２のスイッチ部がオフ動作するとき、予め、第１のスイッチ部で電源ラインを切断されているから、第２のスイッチ部の接点に火花等が発生し難く、第２のスイッチ部の耐久性を向上させ得る。
【図面の簡単な説明】
【００２４】
【図１】本発明に係る電源制御装置の実施の形態を示す概略ブロック図である。
【図２】図１の電源制御装置を搭載した本発明に係る画像形成装置の内部構成を示す概略構成図である。
【発明を実施するための最良の形態】
【００２５】
以下、本発明に係る電源制御装置および画像形成装置の実施の形態を図面を参照して説明する。
【００２６】
図１は本発明に係る電源制御装置Ａの実施の一形態を示す概略ブロック図である。
【００２７】
図１において、電源制御装置Ａは、概略的に電源基板１、制御基板３および定着ユニット５を有して構成されている。なお、電源基板１および制御基板３側が後述する画像形成装置Ｂ本体（装置本体）に相当する。
【００２８】
電源基板１は、スイッチング電源部７、主電源スイッチＳＷ、第１のスイッチ部ＳＷ１、第２のスイッチ部ＳＷ２および制御ゲート部９ａ、９ｂおよびコネクタ１１ａ、１１ｂを有している。
【００２９】
スイッチング電源部７は、ＡＣ１００Ｖの商用交流電源を入力して整流および平滑した直流電源を所定の周波数でスイッチングして降圧し、整流および平滑して例えば＋２４Ｖおよび＋３．３Ｖの直流電源を生成する公知の安定化電源であり、＋２４Ｖおよび＋３．３Ｖの直流電源をコネクタ１１ａから制御基板３に供給している。
【００３０】
商用交流電源からスイッチング電源部７までの１対の交流電源ラインＬ１の一方には、主電源スイッチＳＷが直列的に挿入されており、主電源スイッチＳＷのオンオフ操作によって装置全体への電源投入および遮断がなされる。
【００３１】
交流電源ラインＬ１の他方は、第１のスイッチ部ＳＷ１およびコネクタ１１ｂを介して定着ユニット５に接続されている。
【００３２】
第１のスイッチ部ＳＷ１は、一端を交流電源ラインＬ１の他方に共通接続された１対のトライアック等の半導体スイッチ１３ａ、１３ｂを有しており、半導体スイッチ１３ａ、１３ｂの他端が独立してコネクタ１１ｂを介して定着ユニット５に接続されている。
【００３３】
半導体スイッチ１３ａ、１３ｂは、公知のフォトカプラからなる制御ゲート部９ａ、９ｂによってオンオフ動作して交流電源ラインＬ１を断続するが、詳細は後述する。
【００３４】
主電源スイッチＳＷが挿入された交流電源ラインＬ１の一方には、例えば電磁リレーからなる第２のスイッチＳＷ２が直列的に挿入接続され、コネクタ１１ｂを介して定着ユニット５に接続されている。
【００３５】
第２のスイッチＳＷ２は、スイッチング電源部７から制御基板３を経由して印加される２４Ｖの直流電源でオン動作して交流電源ラインＬ１を断続するが、詳細は後述する。
【００３６】
制御基板３は、コネクタ１５ａを介して入力した２４Ｖおよび３．３Ｖの直流電源によって動作し、第２のスイッチ部ＳＷ２および制御ゲート部９ａ、９ｂその他を制御する機能を有するとともに、２４Ｖの直流電源をコネクタ１５ｂを介して定着ユニット５に出力する機能を有している。
【００３７】
制御基板３の２４Ｖの直流電源ラインには、図示しないカバー開閉扉の開閉動作に連動するオンオフ動作するインターロックスイッチからなる第３のスイッチ部ＳＷ３が接続されており、第３のスイッチ部ＳＷ３から制御基板３、コネクタ１５ａ、１１ａを介して電源基板１にて制御ゲート部９ａ、９ｂが接続されている。
【００３８】
定着ユニット５は、コネクタ１１ｂ、１５ｂに脱着可能に接続されるコネクタ１７と、一端がコネクタ１１ｂおよびコネクタ１７を介して半導体スイッチ１３ａに接続された定着ヒータＨ１と、一端がコネクタ１１ｂおよびコネクタ１７を介して半導体スイッチ１３ｂに接続された定着ヒータＨ２と、サーミスタからなる１対の温度検出部１９、２１とを有している。
【００３９】
定着ヒータＨ１、Ｈ２の他端は共通接続され、コネクタ１７、１１ｂを介して第２のスイッチ部ＳＷ２に接続されている。
【００４０】
そのため、第１のスイッチ部ＳＷ１、コネクタ１１ｂ、１７、定着ヒータＨ１、Ｈ２、コネクタ１７、１１ｂおよび第２のスイッチ部ＳＷ２を介して交流電源ラインが形成されている。電源基板１内では交流電源ラインＬ１に、定着ユニット５内では交流電源ラインＬ２となっている。
【００４１】
定着ヒータＨ１、Ｈ２は図示しない加熱ローラに配置されており、定着ヒータＨ１は加熱ローラの中央部に、定着ヒータＨ２は加熱ローラの両端側に配置された従来公知の例えばハロゲンヒータである。
【００４２】
温度検出部１９は、加熱ローラに接触して例えば定着ヒータＨ１の近傍温度を検出する機能を有し、測定温度に応じた温度検出信号をコネクタ１７、１５ｂから制御基板３に出力し、温度検出部２１は加熱ローラに非接触状態で定着ヒータＨ２の近傍温度を検出する機能を有し、温度検出信号をコネクタ１７、１５ｂから制御基板３に出力する機能を有している。
【００４３】
上述した第１のスイッチ部ＳＷ１をオン駆動する駆動回路２３は、制御基板３の２４Ｖ直流電源ラインから制御基板３のコネクタ１５ａ、定着ユニット５のコネクタ１７および短絡回路２３ａを介し、再び、定着ユニット５のコネクタ１７、制御基板３のコネクタ１５ａから第１のスイッチ部ＳＷ１の図示しない駆動コイルを介して制御基板３に接続されて形成されている。短絡回路２３ａは、定着ユニット５内においてコネクタ１７の異なる端子ピン（図示せず。）間を単にワイヤー短絡する回路である。
【００４４】
そのため、定着ユニット５のコネクタ１７が制御基板３のコネクタ１５ａに接続された状態では、２４Ｖの直流電源が制御基板３側からコネクタ１７側の短絡回路２３ａを介して第２のスイッチ部ＳＷ２に供給されてこれがオン動作し、定着ユニット５のコネクタ１７が制御基板３のコネクタ１５ａから外されると、制御基板３の２４Ｖの直流電源が切断され、第２のスイッチ部ＳＷ２が強制的にオフ動作する。
【００４５】
制御基板３は、温度検出部１９、２１からの温度検出信号を予め設定された基準温度とを比較し、定着ヒータＨ１、Ｈ２の周辺温度が基準温度を超えるとき、半導体スイッチ１３ａ、１３ｂがオフ動作するよう制御ゲート部９ａ、９ｂを制御する機能を有している。
【００４６】
次に、上述した本発明の電源制御装置Ａの動作を簡単に説明する。
【００４７】
定着ユニット５が画像形成装置Ｂに装着された状態において、当該定着ユニット５を交換するために、ユーザがカバー開閉扉を開操作すると、第３のスイッチ部ＳＷ３がオフ動作して制御ゲート９ａ、９ｂが第１のスイッチ部ＳＷ１の半導体スイッチ１３ａ、１３ｂをオフ動作させるから、電源基板１において交流電源ラインＬ１が切断され、定着ヒータＨ１、Ｈ２への交流駆動電源の供給が停止される。
【００４８】
この状態では、定着ユニット５のコネクタ１７が制御基板３のコネクタ１５ａに接続された状態であるから、制御基板３からの２４Ｖの直流電源が第２のスイッチ部ＳＷ２に印加されてオン状態に維持される。
【００４９】
その後、定着ユニット５が画像形成装置Ｂから取り外されて定着ユニット５のコネクタ１７が制御基板３のコネクタ１５ａから外されると、制御基板３からの２４Ｖの直流電源が切断され、第２のスイッチ部ＳＷ２が強制的にオフ動作し、第２のスイッチ部ＳＷ２の部分においても交流電源ラインＬ１が切断される。
【００５０】
定着ユニット５が画像形成装置Ｂに装着されると、２４Ｖの直流電源がコネクタ１７側の短絡回路２３ａを介して第２のスイッチ部ＳＷ２に供給されてオン動作する。
【００５１】
ユーザがカバー開閉扉を閉操作すると、第３のスイッチ部ＳＷ３がオン動作して制御ゲート９ａ、９ｂが第１のスイッチ部ＳＷ１の半導体スイッチ１３ａ、１３ｂをオン動作させるから、定着ヒータＨ１、Ｈ２への交流駆動電源が供給される。
【００５２】
次に、本発明の電源制御装置Ａを装着した画像形成装置Ｂの構成を図２を参照して簡単に説明する。
【００５３】
図２は、画像形成装置Ｂの内部構成図であり、制御部２５を中心にしてスキャナ部２７、記憶部２９、ファクシミリ送受信部（図ではＦＡＸ送受信部と略す。）３１、操作パネル部３３および印刷部３５を有し、例えば複合機を構成している。
【００５４】
上述した図１中の電源基板１は、それら制御部２５、スキャナ部２７、記憶部２９、ファクシミリ送受信部３１、操作パネル部３３および印刷部３５に交流電源および直流電源を供給する機能を有し、制御基板３はそれら制御部２５、記憶部２９、ファクシミリ送受信部３１を搭載するものであり、図２では画像形成装置Ｂの本体ケース３７から取り出して示した。
【００５５】
なお、画像形成装置Ｂとしてはこれ以外にも種々の構成を有するが、本発明の要部ではないので説明および図示を省略する。
【００５６】
スキャナ部２７は、例えば本体ケース３７の上部に配置され、制御部２５の制御の下、原稿画像の表示された原稿用紙から当該紙面の画像状態を光学的に読み取り、フィルタ処理等をして電子的画像データを生成する機能を有し、生成した紙面画像データが原稿の頁毎に記憶部２９に順次記憶されるようになっている。
【００５７】
記憶部２９は、スキャナ部２７から読取り画像データ、ファクシミリ送受信部３１で受信した受信画像データ、ファクシミリ送受信部３１から送信する送信画像データ、制御部２５の動作プログラムおよび動作画面等を格納する読み書き可能な例えばハードディスク（ＨＤＤ）である。
【００５８】
ファクシミリ送受信部３１は、制御部２５の制御の下、電話回線等のネットワーク（図示せず。）を介して画像データを送信するとともに、ネットワークを介して受信した画像データを制御部２５から記憶部２９に出力するインターフェースとしての機能を有する。
【００５９】
操作パネル部３３は、本体ケース３７の上部に配置され、当該装置Ｂに対する操作指示の入力を受けるとともに当該装置Ｂの動作状態を表示する入力表示部であり、制御部２５によって制御される。
【００６０】
印刷部３５は、本体ケース３７内に配置され、用紙のセットされる給紙段３９ａ、３９ｂと、これらの給紙段３９ａ、３９ｂから１次給紙された用紙を２次給紙して搬送する過程で、記憶部２９の画像データから展開形成された印刷イメージデータに基づきトナー像を形成して用紙に転写する画像形成部としての転写部４１と、この転写部４１の下流側に上述した定着ユニット５を配置して形成されている。
【００６１】
上述した制御部２５は、ＣＰＵ、このＣＰＵの起動プログラムを格納したメモリ部、入出力インターフェース（いずれも図示せず。）を有し、上述したスキャナ部２７、記憶部２９、ファクシミリ送受信部３１、操作パネル部３３および印刷部３５を制御するとともに、上述した制御基板３の主要機能を担っている。
【００６２】
このように本発明に係る電源制御装置Ａでは、定着ヒータＨ１、Ｈ２と、この定着ヒータにＨ１、Ｈ２による昇温温度を検出する温度検出部１９、２１とを有して当該装置Ｂ本体に着脱可能に配置される定着ユニット５であって、その装置Ｂ本体から定着ヒータＨ１、Ｈ２を加熱駆動する交流駆動電源を入力し、その温度検出部１９、２１による温度検出信号を装置Ｂ本体に出力するとともに装置Ｂ本体に対して脱着可能なコネクタ１７を有する定着ユニット５と、その装置Ｂ本体内において定着ヒータＨ１、Ｈ２に供給する交流駆動電源の交流電源ラインＬ１に直列的に挿入され、その定着ヒータＨ１、Ｈ２の周辺温度が基準温度を超えるとき交流電源ラインＬ１を切断するよう動作する第１のスイッチ部ＳＷ１と、その装置Ｂ本体内において交流電源ラインＬ１に第１のスイッチ部ＳＷ１と直列的に挿入され交流電源ラインＬ１を断続する第２のスイッチ部ＳＷ２とを具備し、その第２のスイッチ部ＳＷ２は、装置Ｂ本体から定着ユニット５のコネクタ１７側の短絡回路２３ａを経由して断続制御されるとともに、その定着ユニット５のコネクタ１７が装置Ｂ本体から外れたとき交流電源ラインＬ１を切断する構成である。
【００６３】
そのため、定着ヒータ５に交流駆動電源を供給する交流電源ラインＬ１が当該定着ユニット５の取り外し時に装置Ｂ本体内にて切断され、定着ユニット５の取外時の高い安全性確保が可能であるし、第２のスイッチ部ＳＷ２が定着ユニット５のコネクタ１７に接続された短絡回路２３ａを経由して断続制御されるから、ごく簡単な回路構成の変更によって上述した効果が得られる。
【００６４】
また、上記装置Ｂ本体に配置された第３のスイッチ部ＳＷ３による当該開状態検出に基づき、第１のスイッチ部ＳＷ１がインターロック後に交流電源ラインＬ１を切断するから、当該定着ユニット５を交換するために、ユーザがカバー開閉扉を開操作すると、第１のスイッチ部ＳＷ１がオフ状態になり、定着ユニット５を取り外すと第２のスイッチ部ＳＷ２がオフ状態になる。
【００６５】
他方、ユーザが定着ユニット５を装置Ｂ本体に装着してカバー開閉扉を閉操作すると、第２のスイッチ部ＳＷ２が導通状態になってから第１のスイッチ部ＳＷ１が導通状態になり、ユーザがカバー開閉扉を開閉操作および定着ユニット５の脱着操作をするだけで、第１および第２のスイッチ部ＳＷ１、ＳＷ２のオンオフシーケンスが自動的になされ、それらの高い安全性を確保可能である。
【００６６】
さらに、第２のスイッチ部ＳＷ２が電磁リレーからなる構成において、第２のスイッチ部ＳＷ２を切断しても、予め、第１のスイッチ部ＳＷ１で交流電源ラインＬ１を切断されているから、第２のスイッチ部ＳＷ２の接点に火花等が発生し難く、第２のスイッチ部ＳＷ２の耐久性を向上させ得る。
【００６７】
ところで、本発明の電源制御装置Ａにおける第１〜第３のスイッチ部ＳＷ１〜ＳＷ３は上述したものに限定されず、種々のスイッチ部品を用いて実施可能である。
【００６８】
そして、本発明の電源制御装置を搭載した画像形成装置Ｂでは、上述した電源制御装置Ａと同様の効果が得られるし、画像形成装置Ｂについても複写機、ファクシミリ機、複合機等の種々の構成で実施可能である。
【符号の説明】
【００６９】
１  電源基板
３  制御基板
５  定着ユニット
７  スイッチング電源部
９ａ、９ｂ  制御ゲート部
１１ａ、１１ｂ、１５ａ、１５ｂ、１７  コネクタ
１３ａ、１３ｂ  半導体スイッチ
１９、２１  温度検出部
２３  駆動回路
２３ａ  短絡回路
２５  制御部
２７  スキャナ部
２９  記憶部
３１  ファクシミリ送受信部（ＦＡＸ送受信部）
３３  操作パネル部
３５  印刷部
３７  本体ケース
３９ａ、３９ｂ  給紙段
４１  転写部（画像形成部）
Ａ  電源制御装置
Ｂ  画像形成装置
Ｈ１、Ｈ２  定着ヒータ
Ｌ１、Ｌ２  交流電源ライン（電源ライン）
ＳＷ  主電源スイッチ
ＳＷ１  第１のスイッチ部
ＳＷ２  第２のスイッチ部
ＳＷ３  第３のスイッチ部
【図１】
2011209486.tif 000003
【図２】
2011209486.tif 000004